(57)【特許請求の範囲】
【請求項１】
刃部を備えた固定刃と刃部と軸部とを備えた可動刃とのいずれか一方を保持する固定フレームと、
前記固定フレームに回動開閉自在に取り付けられ、閉じられた状態で前記固定刃と前記可動刃とのいずれか他方を前記刃部同士が用紙案内経路を介して対向し噛み合うように保持する回動フレームと、
前記回動フレームに回動自在に取り付けられて回動することによりその回動フレームに取り付けられた前記固定刃又は前記可動刃の前記刃部を覆う位置と前記刃部を露出させる位置とに変位自在のカッタカバーと、
前記カッタカバーを前記刃部を覆う位置に付勢する付勢部材と、
前記回動フレームが閉じられる動作に伴う前記カッタカバーの一部と定置部材とのカム動作によって前記付勢部材の付勢力に抗して前記カッタカバーを前記刃部を露出させる位置に回動させる回動機構と、
前記カッタカバーに取り付けられ、前記回動フレームが閉じられた状態で前記固定フレームに取り付けられた前記可動刃又は前記固定刃に対して互いの前記刃部同士の噛み合い位置よりも前記用紙案内経路の下流側で当該用紙案内経路を介して当接し、前記カッタカバーが前記回動フレームに取り付けられた前記固定刃又は前記可動刃を覆う位置に位置する状態で当該固定刃又は可動刃の前記刃部を覆うブラシ状部材である用紙押え部材と、
を備え、前記固定フレームに対して前記回動フレームが閉じられた状態で前記固定刃と前記可動刃との間に位置する長尺状の用紙を前記固定刃の可動動作によって切断するようにした分離式カッタ装置。
【請求項２】
前記固定フレームに前記可動刃が取り付けられ、前記回動フレームに前記固定刃が取り付けられている請求項１記載の分離式カッタ装置。
【発明の詳細な説明】
【０００１】
【発明の属する技術分野】
本発明は、レシートプリンタ等に用いられる分離式カッタ装置に関する。
【０００２】
【従来の技術】
従来、固定刃に対して可動刃を回動させることで互いの刃部を鋏のように噛み合わせ、互いの刃部の間に位置する切断対象物、例えばレシート用紙等を切断するようにしたロータリカッタ装置と称されるカッタ装置がある。このようなカッタ装置の従来の一例を図７及び図８に基づいて説明する。
【０００３】
まず、対向する二辺を備えたフレーム１０１が設けられ、このフレーム１０１の対向する二辺には固定刃１０２と可動刃１０３とが回動自在に取り付けられている。つまり、固定刃１０２と可動刃１０３とはそれぞれ支軸１０２ａ，１０３ａを備え、これらの支軸１０２ａ，１０３ａがフレーム１０１の対向する二辺に嵌合することにより固定刃１０２と可動刃１０３とがフレーム１０１に回動自在に取り付けられている。また、可動刃１０３にはその支軸１０３ａと平行に駆動軸１０３ｂが設けられ、この駆動軸１０３ｂが駆動されることで可動刃１０３はその支軸１０３ａを中心として回動する。ここで、固定刃１０２の支軸１０２ａと可動刃１０３の支軸１０３ａとは平行に対して僅かにずれているため、可動刃１０３の回動に伴い、互いの刃部１０２ｅ，１０３ｅが鋏のように噛み合うことになる。そして、可動刃１０３の回動に伴い固定刃１０２は一方向に押されて回動するが、この際、固定刃１０２の支軸１０２ａに取り付けられて固定刃１０２とフレーム１０１とを連結する図示しないコイルスプリングの復帰力によって固定刃１０２はその回動方向と逆方向に反力を持つ。これにより、固定刃１０２と可動刃１０３との互いの刃部１０２ｅ，１０３ａの間に位置する切断対象が良好な切れ味をもって切断されることになる。
【０００４】
このような構造のものは、例えばレシートプリンタに用いるとすると、固定刃１０２と可動刃１０３との間にレシート用紙の案内搬送経路が位置付けられるように本体ケース１０４内にカッタ装置を配置し、駆動部の動力を駆動力伝達機構（共に図示せず）によって可動刃１０３の駆動軸１０３ｂに伝達し、可動刃１０３を揺動動作させる。これにより、固定刃１０２の刃部１０２ｅに可動刃１０３の刃部１０３ｅが鋏のように噛み合い、固定刃１０２と可動刃１０３との間に位置するレシート用紙が切断される。そして、切断されたレシート用紙は本体ケース１０４に設けられたレシート発行口１０５から発行されることになる。
【０００５】
ところが、図７及び図８に示すようなカッタ装置は固定刃１０２と可動刃１０３との間の隙間が僅かであるので、レシート用紙等のセット動作やジャム処理動作等がしにくいという問題がある。そこで、従来、図９及び図１０に示すような分離式カッタ装置と称されるロータリカッタ装置も実用化されている。このようなカッタ装置は、用紙を切断する基本構造は図７及び図８に示すカッタ装置と同様である。異なる点は、固定フレーム１１１とこの固定フレーム１１１に対して回動自在に取り付けられた回動フレーム１１２とが設けられ、固定刃１０２が固定フレーム１１１に取り付けられ、可動刃１０３が回動フレーム１１２に取り付けられている点である。そして、固定フレーム１１１には側方に突出する一対のピン１１３が立設され、回動フレーム１１２にはそれらのピン１１３に係脱する一対のフック１１４が回転自在に取り付けられている。さらに、その構造は図示しないが、回動フレーム１１２は開放方向に付勢されている。
【０００６】
このような構造のものは、ピン１１３からフック１１４の係合を外すと回動フレーム１１２が固定フレーム１１１から離反し、固定フレーム１１１に取り付けられた固定刃１０２と回動フレーム１１２に取り付けられた可動刃１０３との間が開放される。これにより、レシート用紙等のセット動作やジャム処理動作等がしやすくなる。
【０００７】
【発明が解決しようとする課題】
図７及び図８に示すようなカッタ装置は、カッタ装置それ自体がブロック化されて開放されることがないために固定刃１０２及び可動刃１０３の刃部１０２ｅ，１０３ａが人の手に触れることがない。したがって、用紙の交換作業やジャム処理作業に際しての安全性が確保される。これに対し、図９及び図１０に示すような分離式カッタ装置では、図９に示すように回動フレーム１１２を回動させて開いた場合、固定刃１０２及び可動刃１０３の刃部１０２ｅ，１０３ａが人の手に触れる可能性がある。
【０００８】
本発明の目的は、固定刃と可動刃との間を開放することができる分離式カッタ装置において、固定刃と可動刃との分離時にそれらの刃部に人の手が触れないようにすることである。
【０００９】
本発明の別の目的は、固定刃と可動刃とによる用紙の切れ味を良好にすることである。
【００１０】
【課題を解決するための手段】
請求項１記載の分離式カッタ装置は、刃部を備えた固定刃と刃部と軸部とを備えた可動刃とのいずれか一方を保持する固定フレームと、前記固定フレームに回動開閉自在に取り付けられ、閉じられた状態で前記固定刃と前記可動刃とのいずれか他方を前記刃部同士が用紙案内経路を介して対向し噛み合うように保持する回動フレームと、前記回動フレームに回動自在に取り付けられて回動することによりその回動フレームに取り付けられた前記固定刃又は前記可動刃の前記刃部を覆う位置と前記刃部を露出させる位置とに変位自在のカッタカバーと、前記カッタカバーを前記刃部を覆う位置に付勢する付勢部材と、前記回動フレームが閉じられる動作に伴う前記カッタカバーの一部と定置部材とのカム動作によって前記付勢部材の付勢力に抗して前記カッタカバーを前記刃部を露出させる位置に回動させる回動機構と、前記カッタカバーに取り付けられ、前記回動フレームが閉じられた状態で前記固定フレームに取り付けられた前記可動刃又は前記固定刃に対して互いの前記刃部同士の噛み合い位置よりも前記用紙案内経路の下流側で当該用紙案内経路を介して当接し、前記カッタカバーが前記回動フレームに取り付けられた前記固定刃又は前記可動刃を覆う位置に位置する状態で当該固定刃又は可動刃の前記刃部を覆うブラシ状部材である用紙押え部材と、を備え、前記固定フレームに対して前記回動フレームが閉じられた状態で前記固定刃と前記可動刃との間に位置する長尺状の用紙を前記固定刃の可動動作によって切断する。
【００１１】
したがって、回動フレームを回動させて開放し、固定刃と可動刃とを離反させると、カッタカバーが付勢部材に付勢されて回動し、固定刃又は可動刃の刃部を覆う。これにより、固定刃と可動刃との分離時、それらの刃部に人の手が触れることができないようになる。これに対し、回動フレームを回動させて閉じ、固定刃と可動刃とをお互いの刃部が噛み合う位置に位置させると、回動フレームが閉じられる動作に伴いカッタカバーの一部と定置部材とがカム動作をする。これにより、カッタカバーが付勢部材の付勢力に抗して回動し、固定刃又は可動刃の刃部が露出し、用紙が切断可能状態となる。また、可動刃の回動動作による固定刃と可動刃との噛み合いで用紙が切断されるに際し、用紙は固定刃の方向、つまり、回動フレームの方向に屈曲する。この時、用紙が屈曲すればする程、用紙の切れ味が損なわれる。これに対し、用紙の屈曲がカッタカバーに取り付けられた用紙押え部材によって抑制される。この場合、用紙の腰の強さによってはカッタカバーが押し上げられて回動しようとするが、この動きはカッタカバーを付勢する付勢部材の付勢力によって抑えられる。したがって、用紙の屈曲が防止され、用紙の切れ味が良好に維持される。この場合、用紙押え部材をブラシ状部材とすることで、用紙押え部材に対する用紙の当たりが柔らかくなって用紙を傷つけてしまうようなことが防止され、かつ、用紙との間の摺動抵抗が小さいので用紙の動きが滑らかになる。
【００１２】
請求項２記載の発明は、請求項１記載の分離式カッタ装置において、固定フレームに可動刃が取り付けられ、回動フレームに固定刃が取り付けられている。
【００１３】
したがって、必然的に可動刃用の動力伝達機構が取り付けられる固定フレームに対して回動フレームの重量が軽くなり、回動フレームが急激に閉じられるような事故が防止されて安全性が高まる。
【００１６】
【発明の実施の形態】
本発明の実施の一形態を図１ないし図６に基づいて説明する。図１はカッタ装置全体の斜視図、図２はその側面図、図３は用紙案内経路開放時のカッタ装置全体の斜視図、図４はカッタカバーの動作を示す側面図、図５は固定フレームに対して回動フレームが閉じられた状態での固定刃と可動刃とカッタカバーとの縦断側面図、図６は用紙切断時における固定刃と可動刃とカッタカバーとの縦断側面図である。
【００１７】
固定フレーム１とこの固定フレーム１に対して回動自在に取り付けられた回動フレーム２とが設けられている。回動フレーム２は図示しない付勢部材によって開放方向に付勢され、この回動フレーム２が回動開放しようとするのを図示しないロック部材がロック固定している。
【００１８】
次いで、回動フレーム２には固定刃３が取り付けられ、固定フレーム１には可動刃４が取り付けられている。つまり、固定刃３には支軸３ａ、可動刃４には支軸４ａがそれらの刃部３ｅ，４ｅの側方の面に突出形成され、これらの支軸３ａ，４ａがそれぞれ回動フレーム２と固定フレーム１とに回動自在に取り付けられている。ここで、固定刃３の支軸３ａと可動刃４の支軸４ａとは平行に対して僅かにずれているため、固定フレーム１に対して回動フレーム２が閉じられている状態では、可動刃４の回動に伴って互いの刃部３ｅ，４ｅが鋏のように噛み合うことになる。そして、可動刃４の回動に伴い固定刃３は一方向に押されて回動するが、この際、固定刃３の支軸３ａに取り付けられて固定刃３と回動フレーム２とを連結する図示しないコイルスプリングの復帰力によって固定刃３はその回動方向と逆方向に反力を持つ。これにより、固定刃３と可動刃４との互いの刃部３ｅ，４ｅの間に位置する切断対象が良好な切れ味をもって切断されることになる。
【００１９】
ここで、可動刃４は、固定フレーム１に形成されたコの字形状部分に軸支されている。このコの字形状部分は、可動刃４の支軸４ａを支持する支持片部分が可動刃４よりも上方に突出しており、この部分が定置部材５となっている。
【００２０】
次いで、固定刃３の支軸３ａに軸支させることにより、回動カバー２にはカッタカバー６が回動自在に取り付けられている。このカッタカバー６は、回動することにより刃部３ｅを含む固定刃３の全体を覆う位置と固定刃３の刃部３ｅを露出させる位置とに変位自在である。そして、カッタカバー６の両側部と回動フレーム２との間には、付勢部材としての一対のコイルスプリング７が掛け渡されており、これらのコイルスプリング７に引っ張られてカッタカバー６は固定刃３を覆う位置に回動保持されている。また、カッタカバー６は、回動フレーム２が閉じられる動作に伴い、その一部が定置部材５と共にカム動作を行うように構成されている。つまり、回動フレーム２が閉じられる動作に際し、カッタカバー６の先端部が定置部材５に当接し、そのまま回動フレーム２が閉じられる動作が続行されると、カッタカバー６と定置部材５との間のカム動作により、コイルスプリング７の付勢力に抗してカッタカバー６が固定刃３の開放方向に回動するように各部が構成されている（回動機構、図４参照）。
【００２１】
さらに、カッタカバー６には、定置部材５に当接する面と同一面であって定置部材５に当接しない位置に用紙押え部材８が取り付けられている。この用紙押え部材８は、用紙Ｐの案内経路に延出し、可動刃４に当接している。
【００２２】
このような構成において、本実施の形態のカッタ装置を例えばレシートプリンタに用いるとすると、固定刃３と可動刃４との間に用紙Ｐの案内経路９が位置付けられるようカッタ装置を配置し、図示しない駆動部の動力を駆動力伝達機構（共に図示せず）によって可動刃４に伝達し、可動刃４を揺動動作させる（図５参照）。これにより、固定刃３の刃部３ｅに可動刃４の刃部４ｅが鋏のように噛み合い、固定刃３と可動刃４との間に位置する用紙Ｐが切断される。この際、用紙Ｐは固定刃３の方向、つまり、回動フレーム２の方向に屈曲しようとする。こうして用紙Ｐが屈曲すると、その屈曲の程度が大きければ大きい程、用紙Ｐの切れ味が損なわれる。これに対し、本実施の形態では、屈曲する用紙Ｐがカッタカバー６に取り付けられた用紙押え部材８に押さえられ、その屈曲動作が抑制される。この場合、用紙Ｐの腰の強さによってはカッタカバー６が押し上げられて回動しようとするが、この動きはカッタカバー６を付勢するコイルスプリング７の付勢力によって抑えられる（図６参照）。したがって、用紙Ｐの屈曲が防止され、用紙Ｐの切れ味が良好に維持される。
【００２３】
次いで、用紙セット時やジャム処理時には、図示しないロック部材を開放して固定フレーム１に対して回動フレーム２を回動開放する。これにより、固定フレーム１に取り付けられた固定刃３と回動フレーム２に取り付けられた可動刃４との間が開放され、レシート用紙等のセット動作やジャム処理動作等がしやすくなる。
【００２４】
ここで、回動フレーム２を回動させて開放し、固定刃３と可動刃４とを離反させると、カッタカバー６がコイルスプリング７に付勢されて回動し、固定刃３の刃部３ｅを覆う。これにより、固定刃３と可動刃４との分離時、それらの刃部３ｅ，４ｅに人の手が触れることができないようになり、安全性が維持される。
【００２５】
これに対し、回動フレーム２を回動させて閉じ、固定刃３と可動刃４とをお互いの刃部３ｅ，４ｅが噛み合う位置に位置させると、回動フレーム２が閉じられる動作に伴いカッタカバー６の一部と定置部材５とがカム動作をする。これにより、カッタカバー６がコイルスプリング７の付勢力に抗して回動し、固定刃３の刃部３ｅが露出し、用紙Ｐが切断可能状態となる。
【００２６】
なお、実施に当たっては、固定フレーム１の側に固定刃３を軸支させて回動フレーム２の側に可動刃４を軸支させても良い。
【００２７】
【発明の効果】
請求項１記載の発明は、回動フレームを回動させることで固定刃と可動刃とを分離可能とし、両刃の分離時には回動フレーム側の固定刃又は可動刃の刃部をカッタカバーで覆うようにしたので、固定刃と可動刃との間を開放することができる構造でありながら、固定刃と可動刃との刃部に人の手が触れることを防止し、安全性を高めることができる。また、回動フレームが閉じられた状態で固定フレームに取り付けられた可動刃又は固定刃に対して用紙案内経路を介して当接する用紙押え部材をカッタカバーに設けたので、用紙の屈曲により用紙の切れ味が損なわれるのを防止することができ、したがって、用紙の切れ味を良好に維持することができる。そして、用紙押え部材をブラシ状部材としたので、用紙押え部材に対する用紙の当たりを柔らかくして用紙を傷つけてしまうようなことを防止することができ、かつ、用紙と用紙押え部材との間の摺動抵抗を小さくして用紙の動きを滑らかにすることができる。
【００２８】
請求項２記載の発明は、請求項１記載の分離式カッタ装置において、固定フレームに可動刃を取り付け、回動フレームに固定刃を取り付けたので、必然的に可動刃用の動力伝達機構が取り付けられる固定フレームに対して回動フレームの重量が軽くなるため、回動フレームが急激に閉じられるような事故を防止して安全性を高めることができる。
【図面の簡単な説明】
【図１】本発明の実施の一形態を示すカッタ装置全体の斜視図である。
【図２】その側面図である。
【図３】用紙案内経路開放時のカッタ装置全体の斜視図である。
【図４】カッタカバーの動作を示す側面図である。
【図５】固定フレームに対して回動フレームが閉じられた状態での固定刃と可動刃とカッタカバーとの縦断側面図である。
【図６】用紙切断時における固定刃と可動刃とカッタカバーとの縦断側面図である。
【図７】カッタ装置の従来の一例を示す斜視図である。
【図８】固定刃と可動刃とを示す側面図である。
【図９】カッタ装置の従来の別の一例を示す斜視図である。
【図１０】その側面図である。
【符号の説明】
１      固定フレーム
２      回動フレーム
３      固定刃
４ａ    支軸
３ｅ，４ｅ      刃部
４      可動刃
５      定置部材
６      カッタカバー
７      付勢部材（コイルスプリング）
８      用紙押え部材
【図１】
0003818473.tif 000002
【図２】
0003818473.tif 000003
【図３】
0003818473.tif 000004
【図４】
0003818473.tif 000005
【図５】
0003818473.tif 000006
【図６】
0003818473.tif 000007
【図７】
0003818473.tif 000008
【図８】
0003818473.tif 000009
【図９】
0003818473.tif 000010
【図１０】
0003818473.tif 000011